(57)【特許請求の範囲】
【請求項１】
コンピュータ・システムを安全に移送するための方法において、
前記コンピュータ・システムのＲＦＩＤ（無線周波識別）インタフェースを介して出荷ポイントでコンピュータ・システムを使用不能にするステップと、
前記ＲＦＩＤインタフェースを介して受領ポイントで前記コンピュータ・システムを再使用可能にするステップとを含み、
前記ＲＦＩＤインターフェースは、ＲＦインタフェース、記憶域、及びパワー・マネジメント論理回路を含み、使用不能にする前記ステップが、ブート・パスワードを選択するステップと、前記ＲＦＩＤインタフェースを介して前記コンピュータ・システム内の前記記憶域に前記ブート・パスワードを書き込むステップと、前記ＲＦＩＤインタフェースを介して前記記憶域内で使用不能ビットをセットするステップとをさらに含む、  方法。
【請求項２】
前記記憶域が電気的消去可能プログラム可能読取り専用メモリ（ＥＥＰＲＯＭ）をさらに含む、請求項１に記載の方法。
【請求項３】
前記出荷ポイントから前記受領ポイントに前記ブート・パスワードを供給するステップをさらに含む、請求項１に記載の方法。
【請求項４】
前記ブート・パスワードが電子メールを介して供給される、請求項３に記載の方法。
【請求項５】
前記コンピュータ・システムを再使用可能にする前記ステップが、前記ＲＦＩＤインタフェースを介して前記ブート・パスワードを入力するステップをさらに含む、請求項１に記載の方法。
【請求項６】
前記コンピュータ・システムをブートしようと試みるステップと、入力されたブート・パスワードと書き込まれたブート・パスワードを比較するステップと、入力されたブート・パスワードが書き込まれたブート・パスワードと一致するときに、使用不能ビットをクリアすることを含む、コンピュータ・システムをブートするステップとをさらに含む、請求項５に記載の方法。
【請求項７】
コンピュータ・システムを安全に移送するための方法において、
コンピュータ・システム内の動作を使用不能にするために所定のインタフェースを介して第１のサイトで第１の信号シーケンスを供給するステップと、
使用不能にした前記コンピュータ・システムを第２のサイトに移送するステップと、
前記コンピュータ・システム内の動作を使用可能にするために前記所定のインタフェースを介して前記第２のサイトで第２の信号シーケンスを供給するステップとを含み、
第１の信号シーケンスを供給する前記ステップが、前記コンピュータ・システム用の汎用一意識別子を決定するステップと、前記コンピュータ・システム用のパスワードを割り当てるステップと、使用不能ビットをセットするステップとを含む、方法。
【請求項８】
パスワードを割り当てる前記ステップが、前記コンピュータ・システムのＥＥＰＲＯＭ内に前記パスワードを保管するステップをさらに含む、請求項７に記載の方法。
【請求項９】
コンピュータ・システムを安全に移送するための方法において、
コンピュータ・システム内の動作を使用不能にするために所定のインタフェースを介して第１のサイトで第１の信号シーケンスを供給するステップと、
使用不能にした前記コンピュータ・システムを第２のサイトに移送するステップと、
前記コンピュータ・システム内の動作を使用可能にするために前記所定のインタフェースを介して前記第２のサイトで第２の信号シーケンスを供給するステップとを含み、
移送する前記ステップが、前記所定のインタフェースを介して前記コンピュータ・システムからの前記汎用一意識別子を識別するステップと、前記コンピュータ・システムを前記第２のサイトに移送するステップと、前記汎用一意識別子およびパスワードに関する情報を前記第２のサイトに供給するステップとをさらに含む、方法。
【請求項１０】
情報を供給する前記ステップが、電子メールを介して前記情報を送るステップをさらに含む、請求項９に記載の方法。
【請求項１１】
第２の信号シーケンスを供給する前記ステップが、前記パスワードを供給するステップをさらに含む、請求項９に記載の方法。
【請求項１２】
前記所定のインタフェースが無線周波識別子（ＲＦＩＤ）インタフェースをさらに含む、請求項７または請求項９いずれかに記載の方法。
【請求項１３】
コンピュータ・システムを安全に移送するためのシステムにおいて、
中央演算処理システムと、
前記中央演算処理システムに結合され、ＲＦインタフェース、記憶域、及びパワー・マネジメント論理回路を含む無線周波識別インタフェース（ＲＦＩＤ）であって、出荷サイトで前記コンピュータ・システムを使用不能にするために第１の信号シーケンスを受け取り、前記コンピュータ・システムの動作を使用可能にするために受領サイトで第２の信号シーケンスを受け取るためのＲＦＩＤとを含み、
前記ＲＦＩＤが、汎用一意識別子と、前記コンピュータ・システムのために割り当てられ、前記記憶域に書き込むべきパスワードと、前記記憶域にセットすべき使用不能ビットとを前記第１の信号シーケンスとして受け取る、システム。
【請求項１４】
前記ＲＦＩＤが前記第２の信号シーケンスでブート・パスワードを受け取る、請求項１３に記載のシステム。
【請求項１５】
前記ＲＦＩＤに結合されたＢＩＯＳ  ＲＯＭをさらに含み、前記ＢＩＯＳ  ＲＯＭが前記ブート・パスワードと前記割当て済みパスワードを比較し、前記ブート・パスワードが前記割当て済みブート・パスワードと一致するときに前記コンピュータ・システムをブートするための命令を含む、請求項１４に記載のシステム。
【発明の詳細な説明】
【０００１】
【発明の属する技術分野】
本発明は、コンピュータ・システム・セキュリティに関し、より詳細には、輸送中のコンピュータ・システム・セキュリティに関する。
【０００２】
【従来の技術】
パーソナル・コンピュータの窃盗は世界中で数百万ドル規模の問題になっている。多くの場合、コンピュータの窃盗は、メーカからコンピュータを出荷する時点から購入者のデスクにそれが到着するまでの間に発生している。窃盗の発生率が高い主な理由はその機会である。というのは、輸送中の商品の方が配送済みの商品よりかなり盗みやすいかまたは紛失しやすいことは周知のことである。
【０００３】
窃盗の発生率が高いもう１つの理由は、コンピュータ・システムそのものの内部のセキュリティが欠落していることである。ある資産を動作不能にする能力は、窃盗を阻止する方法として極めて効果的な方法である。しかし、セキュリティ・メカニズムは、通常、ユーザ依存であり、したがって、出荷時には使用不能になっており、システム・インストール時にのみ顧客によって使用可能になる。したがって、窃盗の可能性は輸送中のシステムの場合に高くなる。というのは、依然としてシステムが動作可能な状態になっているからである。
【０００４】
【発明が解決しようとする課題】
したがって、出荷中のコンピュータ・システムを効率よくしかも効果的に保護するためのシステムおよび方法が必要である。本発明はこのような必要性に対処するものである。
【０００５】
【課題を解決するための手段】
コンピュータ・システムを安全に移送するための方法およびシステム態様について説明する。コンピュータ・システムは、ＲＦインタフェース、記憶域、及びパワー・マネジメント論理回路を含むＲＦＩＤ（無線周波識別）インタフェースを介して出荷ポイントで使用不能になり、ＲＦＩＤインタフェースを介して受領ポイントで再使用可能になる。コンピュータ・システムを使用不能にすることは、ブート・パスワードを選択すること、ＲＦＩＤインタフェースを介してコンピュータ・システム内の上記記憶域にブート・パスワードを書き込むこと、ＲＦＩＤインタフェースを介して上記記憶域内に使用不能ビットをセットすることを含む。コンピュータ・システムを再使用可能にすることは、ＲＦＩＤインタフェースを介してブート・パスワードを入力することと、使用不能ビットをクリアすることを含む。
【０００６】
本発明による簡単かつ効率の良い無線周波識別子インタフェースの使用により、第１のサイトから第２のサイトへの使用不能コンピュータ・システムの移送がサポートされる。コンピュータ・システムを効果的に使用不能にする能力により、移送中のセキュリティが強化され、その結果、窃盗の可能性が低減される。
【０００７】
【発明の実施の形態】
本発明は、コンピュータ・システムを安全に移送することに関する。以下の説明は、当業者が本発明を作成し使用できるようにするためのものであり、特許出願およびその要件に関連して示す。本明細書に記載する好ましい実施の形態および一般的な原理および特徴に関する様々な修正については、当業者には容易に明らかになるだろう。したがって、本発明は、図示した実施の形態に限定するためのものではなく、本明細書に記載した原理および特徴と一致した最も広い範囲をカバーするものであることを理解されたい。
【０００８】
図１は、本発明の方法およびシステムによるコンピュータ・システムの絵画表現を示している。コンピュータ・システム３０は、コンピュータ１２と、モニタ１３と、キーボード１４と、プリンタまたはプロッタ１５とを含む。
【０００９】
図２は、本発明の方法およびシステムによるコンピュータ１２の拡大斜視図を示している。コンピュータ１２は、シャシ１９と協働して、ディジタル・データを処理して記憶するためのデータ処理コンポーネントおよび記憶コンポーネントを受け入れるための密閉されたシールド・ボリュームを画定するカバー１６を有する。システム・コンポーネントのうちの少なくともいくつかは多層プレーナ２０（一般にマザーボードまたはシステム・ボードとも呼ばれる）上に装着され、そのプレーナはシャシ１９上に取り付けられ、当技術分野では周知の通り、ＣＰＵ、システム・メモリ、アクセサリ・カードまたはボードを含む、コンピュータ１２の様々なコンポーネントを取り付けて電気的に相互接続するための手段を提供する。
【００１０】
シャシ１９は、ベースとリア・パネル１７を有し、ディスク・ドライブ２３などのデータ記憶装置を受け入れるための少なくとも１つのオープン・ベイ２２を画定する。アンテナ１０９は、事前定義特性を有する放射線を収集するためにコンピュータ１２の外部に延びるよう取り付けられている。アンテナ１０９は、コンピュータ・システム３０の付近にある事前定義特性を有する放射線を示す信号をＲＦＩＤインタフェース５９を介してシステム３０に供給するためのものである。
【００１１】
図３は、プレーナ２０上に取り付けられたコンポーネントと、パーソナル・コンピュータ・システムの入出力スロットおよび他のハードウェアへのプレーナの接続とを含む、本発明の方法およびシステムによるコンピュータ・システム３０の様々なコンポーネントを示す、コンピュータ・システム３０の高レベル・ブロック図を示している。プレーナにはシステム・プロセッサが接続されている。ＣＰＵ３２としてはどのような適切なマイクロプロセッサでも使用することができるが、適当なマイクロプロセッサの１つはINTEL（インテルの商標）から販売されているPentium（インテルの商標）である。ＣＰＵ３２は、高速のＣＰＵローカル・バス３４によって、バス・インタフェース制御ユニット３５、デュアル・インライン・メモリ・モジュール（ＤＩＭＭ）として本明細書に示す揮発性ランダム・アクセス・メモリ（ＲＡＭ）３６、ＣＰＵ３２に対する基本入出力動作のための命令が記憶されたＢＩＯＳ  ＲＯＭ３８に接続されている。ＢＩＯＳ  ＲＯＭ３８は、入出力装置とマイクロプロセッサ３２のオペレーティング・システムとのインタフェースを取り、システムを初期設定するために使用するＢＩＯＳを含む。ＢＩＯＳ  ＲＯＭ３８に記憶された命令は、ＲＡＭ３６内にコピーして、ＢＩＯＳの実行を低減することができる。また、システムは、ありきたりになっているように、システム構成およびリアル・タイム・クロック（ＲＴＣ）に関するデータを受け取って保持するためのバッテリ・バックアップ式不揮発性メモリ６８（従来通りＣＭＯＳ  ＲＡＭ）を有する回路コンポーネントも有する。
【００１２】
特に図３のシステム・ブロック図に関連して本発明を以下に説明するが、以下に示す説明の冒頭で、本発明による装置および方法がプレーナ・ボードの他のハードウェア構成で使用できることが企図されていることが分かるはずである。たとえば、システム・プロセッサは、INTELのPentiumまたはPentium IIマイクロプロセッサとすることもできる。
【００１３】
もう一度図３を参照すると、ＣＰＵローカル・バス３４（データ・コンポーネント、アドレス・コンポーネント、制御コンポーネントを含む）は、マイクロプロセッサ３２と小型コンピュータ・システム・インタフェイス（ＳＣＳＩ）コントローラ４０との接続も可能にする。ＳＣＳＩコントローラ４０は、コンピュータ設計および動作の当業者には既知の通り、読取り専用メモリ（ＲＯＭ）４１、ＲＡＭ４２、図の右側に示す入出力接続によって容易になるような様々なタイプの適当な内部または外部装置に接続されるかまたは接続可能である。ＳＣＳＩコントローラ４０は、固定または取外し可能電磁記憶装置（ハード・ディスク・ドライブおよびフロッピー・ディスク・ドライブとしても知られる）、電気光学テープ、その他の記憶装置などの記憶メモリ・デバイスを制御する際に記憶コントローラとして機能する。
【００１４】
バス・インタフェース・コントローラ（ＢＩＣ）３５は、ＣＰＵローカル・バス３４と入出力バス４４を結合する。バス４４により、ＢＩＣ３５は、入出力装置またはメモリ（図示せず）にさらに接続可能なＰＣＩアダプタ・カード４５を受け入れるための複数の入出力スロットを有するＰＣＩバスなどの任意選択機構バスと結合される。入出力バス４４は、アドレス・コンポーネント、データ・コンポーネント、制御コンポーネントを含む。
【００１５】
入出力バス４４に沿って、グラフィック情報４８を記憶し、画像情報４９を記憶するためのビデオＲＡＭ（ＶＲＡＭ）に関連するビデオ信号プロセッサ４６などの様々な入出力コンポーネントが結合されている。グラフィック・プロセッサ４６と交換されるビデオ信号は、ディジタル・アナログ変換器（ＤＡＣ）５０を介してモニタまたは他のディスプレイ装置に渡すことができる。グラフィック・プロセッサ４６の出力を本明細書で自然画像入出力と呼ぶものに直接接続することも可能になり、その入出力はビデオ・レコーダ／プレーヤ、カメラなどの形を取ることができる。
【００１６】
入出力バス４４は、入出力コントローラ５８を使用して関連の電気的消去可能プログラム可能読取り専用メモリ（ＥＥＰＲＯＭ）５９に結合されている。フロッピー・ディスク・ドライブ、プリンタまたはプロッタ１５、キーボード１４、マウスまたはポインティング・デバイス（図示せず）などの従来の周辺装置は、入出力コントローラ５８を使用して入出力バス４４に結合されている。
【００１７】
ＥＥＰＲＯＭ５９は、ＥＥＰＲＯＭ回路６３と、信号を入出力するためのシリアル・インタフェース６５と、ワイヤレス信号を受信するための無線周波（ＲＦ）インタフェース６４と、パワー・マネジメント論理回路６６とを含む。ＥＥＰＲＯＭ５９は、ＰＣおよび他のインテリジェント電子装置のための統合ＲＦＩＤ（無線周波識別）インタフェースを提供する。このサブシステムは、ディジタル・シリアル（Ｉ２Ｃ）と無線周波インタフェースの両方を備えたデュアル・ポート化不揮発性メモリ素子からなる。例証として、このような回路はニューヨーク州アーモンクのＩＢＭ社のＰＣ３００内で得られる。ＲＦインタフェース６４との対話は、ＰＣＩＤによって作られたハンドヘルド装置などの適切なワイヤレスＲＦ通信装置との間で行われる。
【００１８】
本発明により、コンピュータ・システム３０は、図４ないし図７に関連して説明するように、コンピュータ・システム３０のＥＥＰＲＯＭ回路６３とともにＲＦＩＤインタフェース６４を使用することにより、出荷サイトと受領サイトの間で安全に移送される。図４および図５は出荷サイトでコンピュータ・システムを保護するために行われるプロセスの流れ図を示し、図６および図７は受領サイトでコンピュータ・システムを受領するときに行われるプロセスの流れ図を示す。
【００１９】
図４を参照すると、移送用のコンピュータ・システムを保護することは、コンピュータ・システムから汎用一意識別子（ＵＵＩＤ）を読み取ることにより（ステップ１０００）、出荷サイトで開始される。たとえば、ＥＥＰＲＯＭ６３に記憶された固有の通し番号は、コンピュータ・システム用の適当な汎用一意識別子として機能する。次に、ブート・パスワードを選択し、出荷サイトでコンピュータ・システムに割り当てる（ステップ１００２）。ＥＥＰＲＯＭ回路６３に記憶するためにＲＦインタフェース６４を介してコンピュータ・システムのＥＥＰＲＯＭ６３にブート・パスワードを書き込む（ステップ１００４）。また、コンピュータ・システムのＥＥＰＲＯＭ回路６３内の使用不能ビットをセットして、コンピュータ・システムの動作を使用不能にするために信号を送る（ステップ１００６）。次に、保護付きで使用不能になっているコンピュータ・システムの参照として出荷サイトの中央データベース内にＵＵＩＤおよびパスワードを記憶する（ステップ１００８）。
【００２０】
次に図５を参照すると、出荷サイトからコンピュータ・システムを移送する場合、移送中のコンピュータ・システムを使用可能ストックから引き出す（ステップ１０１０）。ＲＦインタフェースを使用してＥＥＰＲＯＭ回路６３からコンピュータ・システムのＵＵＩＤを読み取り（ステップ１０１２）、コンピュータ・システムを出荷する（ステップ１０１４）。中央データベース内でＵＵＩＤによってコンピュータ・システムを識別し、出荷済みとマークする（ステップ１０１６）。次に、中央データベース内に記憶されたＵＵＩＤおよびパスワードを示すコンピュータ・システムの請求書を作成する（ステップ１０１８）。次に、受領側に請求書を送る（１０１９）、たとえば、顧客に電子メールで送る。あるいは、受領側にとってアクセス可能な安全なインターネット・ウェブサイトでＵＵＩＤおよびパスワードを提供することもできる。
【００２１】
これらのプロセスにより、コンピュータ・システムへの無許可アクセスを制限するセキュリティ機能によって使用不能にしたコンピュータ・システムを送る。ＲＦＩＤインタフェースを使用すると、労働強度が低減される。というのは、ＲＦＩＤインタフェースにより、コンピュータ・システムを送るときに使用するボックスによる対話を含む、システムとのワイヤレス対話が可能になるからである。出荷後、ＲＦＩＤインタフェースを使用するプロセスは、図６に関連して説明するように続行される。受領側は、たとえば、請求書によりＵＵＩＤとパスワードを受け取り（ステップ１０２０）、コンピュータ・システムを受け取る（ステップ１０２２）。パスワード情報を受け取ったので、ユーザは、ＲＦインタフェースを介してコンピュータ・システムに通知することによりパスワードを入力する（ステップ１０２４）。この信号は、伝送されたパスワードがＥＥＰＲＯＭ６３内の記憶されたパスワードと一致した場合に使用不能ビットをクリアするための命令を含む。
【００２２】
コンピュータ・システムの動作の観点から図７を参照すると、電源投入時にＰＯＳＴ（電源入力自己診断）が実行される（ステップ１０２６）。次にシステムはＥＥＰＲＯＭ６３内にセットされた使用不能ビットがあるかどうかをチェックする（ステップ１０２８）。使用不能ビットがセットされていない場合、システムはそのブート・プロセスを続行する（ステップ１０３０）。使用不能ビットがセットされている場合、システムはＥＥＰＲＯＭ６３内にＲＦパスワードがあるかどうかをチェックする（ステップ１０３２）。パスワードが入力済みである場合、システムは入力されたパスワードがＥＥＰＲＯＭ６３内に記憶された割当て済みパスワードと一致するかどうかを判定する（ステップ１０３４）。適切なパスワードが入力されてＰＯＳＴによって関連の使用不能ビットがクリアされるまでシステムはブートせず、その結果、システムは無許可アクセスから保護される。したがって、システムがその所期の宛先に到達する前に盗まれて電源投入された場合、ＰＯＳＴは、使用不能ビットがセットされていることを検出し、ブート・パスワードを入力するようプロンプト指示することになる。パスワードが正しく入力されるまで、システムはブートしない。そのパスワードの試行が３回失敗するごとにシステムが使用不能になる、すなわち、それ以上パスワードを求めるプロンプト指示が行われなくなる。次にシステムは、再始動するためにパワー循環（ＯＮ−ＯＦＦ−ＯＮ）する必要がある。
【００２３】
図示の実施の形態により本発明を説明してきたが、当業者であれば、その実施の形態に対する変形形態が可能であり、そのような変形形態が本発明の精神および範囲内に入ることが容易に分かるだろう。たとえば、ＲＦＩＤインタフェースの使用によるパスワードの入力について説明したが、キーボードの使用によるなどの手動入力による入力も可能である。さらに、メーカから顧客への移送に関連して安全な移送のための基本的環境について説明してきたが、この原則は作業サイト間など、他のタイプの移送にも適用可能である。したがって、当業者であれば、特許請求の範囲の精神および範囲から逸脱せずに、多くの修正形態をなすことができる。
【００２４】
まとめとして、本発明の構成に関して以下の事項を開示する。
【００２５】
（１）コンピュータ・システムを安全に移送するための方法において、
ＲＦＩＤ（無線周波識別）インタフェースを介して出荷ポイントでコンピュータ・システムを使用不能にするステップと、
前記ＲＦＩＤインタフェースを介して受領ポイントで前記コンピュータ・システムを再使用可能にするステップとを含む方法。
（２）使用不能にする前記ステップが、ブート・パスワードを選択するステップと、前記ＲＦＩＤインタフェースを介して前記コンピュータ・システム内の記憶域に前記ブート・パスワードを書き込むステップと、前記ＲＦＩＤインタフェースを介して前記記憶域内で使用不能ビットをセットするステップとをさらに含む、上記（１）に記載の方法。
（３）前記記憶域が電気的消去可能プログラム可能読取り専用メモリ（ＥＥＰＲＯＭ）をさらに含む、上記（２）に記載の方法。
（４）前記出荷ポイントから前記受領ポイントに前記ブート・パスワードを供給するステップをさらに含む、上記（２）に記載の方法。
（５）前記ブート・パスワードが電子メールを介して供給される、上記（４）に記載の方法。
（６）前記コンピュータ・システムを再使用可能にする前記ステップが、前記ＲＦＩＤインタフェースを介して前記ブート・パスワードを入力するステップをさらに含む、上記（２）に記載の方法。
（７）前記コンピュータ・システムをブートしようと試みるステップと、入力されたブート・パスワードと書き込まれたブート・パスワードを比較するステップと、入力されたブート・パスワードが書き込まれたブート・パスワードと一致するときに、使用不能ビットをクリアすることを含む、コンピュータ・システムをブートするステップとをさらに含む、上記（６）に記載の方法。
（８）コンピュータ・システムを安全に移送するための方法において、
コンピュータ・システム内の動作を使用不能にするために所定のインタフェースを介して第１のサイトで第１の信号シーケンスを供給するステップと、
使用不能にした前記コンピュータ・システムを第２のサイトに移送するステップと、
前記コンピュータ・システム内の動作を使用可能にするために前記所定のインタフェースを介して前記第２のサイトで第２の信号シーケンスを供給するステップとを含む方法。
（９）前記所定のインタフェースが無線周波識別子（ＲＦＩＤ）インタフェースをさらに含む、上記（８）に記載の方法。
（１０）第１の信号シーケンスを供給する前記ステップが、前記コンピュータ・システム用の汎用一意識別子を決定するステップと、前記コンピュータ・システム用のパスワードを割り当てるステップと、使用不能ビットをセットするステップとをさらに含む、上記（８）に記載の方法。
（１１）パスワードを割り当てる前記ステップが、前記コンピュータ・システムのＥＥＰＲＯＭ内に前記パスワードを保管するステップをさらに含む、上記（１０）に記載の方法。
（１２）移送する前記ステップが、前記所定のインタフェースを介して前記コンピュータ・システムからの前記汎用一意識別子を識別するステップと、前記コンピュータ・システムを前記第２のサイトに移送するステップと、前記汎用一意識別子およびパスワードに関する情報を前記第２のサイトに供給するステップとをさらに含む、上記（８）に記載の方法。
（１３）情報を供給する前記ステップが、電子メールを介して前記情報を送るステップをさらに含む、上記（１２）に記載の方法。
（１４）第２の信号シーケンスを供給する前記ステップが、前記パスワードを供給するステップをさらに含む、上記（１２）に記載の方法。
（１５）コンピュータ・システムを安全に移送するためのシステムにおいて、
中央演算処理システムと、
前記中央演算処理システムに結合され、出荷サイトで前記コンピュータ・システムを使用不能にするために第１の信号シーケンスを受け取り、前記コンピュータ・システムの動作を使用可能にするために受領サイトで第２の信号シーケンスを受け取るための無線周波識別インタフェース（ＲＦＩＤ）とを含むシステム。（１６）前記ＲＦＩＤが、汎用一意識別子と、前記コンピュータ・システムのために割り当てられたパスワードと、セットされた使用不能ビットとを前記第１の信号シーケンスとして受け取る、上記（１５）に記載のシステム。
（１７）前記ＲＦＩＤが前記第２の信号シーケンスでブート・パスワードを受け取る、上記（１６）に記載のシステム。
（１８）前記ＲＦＩＤに結合されたＢＩＯＳ  ＲＯＭをさらに含み、前記ＢＩＯＳ  ＲＯＭが前記ブート・パスワードと前記割当て済みパスワードを比較し、前記ブート・パスワードが前記割当て済みブート・パスワードと一致するときに前記コンピュータ・システムをブートするための命令を含む、上記（１７）に記載のシステム。
【図面の簡単な説明】
【図１】本発明によるコンピュータ・システムを示す図である。
【図２】図１のコンピュータの拡大図である。
【図３】図１のコンピュータ・システムの高レベル・ブロック図である。
【図４】本発明により出荷サイトでコンピュータ・システムを保護するためのプロセスの流れ図である。
【図５】本発明により出荷サイトでコンピュータ・システムを保護するためのプロセスの流れ図である。
【図６】受領サイトで保護付きコンピュータ・システムを使用可能にするためのプロセスの流れ図である。
【図７】受領サイトで保護付きコンピュータ・システムを使用可能にするためのプロセスの流れ図である。
【符号の説明】
１２  コンピュータ
１６  カバー
１７  リア・パネル
１９  シャシ
２０  多層プレーナ
２２  オープン・ベイ
２３  ディスク・ドライブ
５９  ＲＦＩＤインタフェース、ＥＥＰＲＯＭ
１０９  アンテナ
【図１】
0003888418.tif 000002
【図２】
0003888418.tif 000003
【図３】
0003888418.tif 000004
【図４】
0003888418.tif 000005
【図５】
0003888418.tif 000006
【図６】
0003888418.tif 000007
【図７】
0003888418.tif 000008